(57)【要約】【課題】用紙が補給された場合に、用紙のサイズ等の用紙設定情報をユーザが容易に確認でき、用紙設定情報の変更が必要なときにのみ、ユーザによる設定入力ができるようにし、ユーザの操作負担を軽減するとともに、用紙の設定が誤ったまま印刷等の処理が行われてしまうことを防止することを課題とする。【解決手段】表示部と、印刷する用紙を特定する用紙設定情報を予め記憶した記憶部と、印刷する用紙を収納する用紙収納部と、用紙収納部に対する用紙の有無を検出する用紙検出部と、記憶部に記憶された用紙設定情報を含む用紙設定確認画面を、表示部に表示させる確認表示制御部とを備え、用紙検出部が、用紙収納部に用紙が補給されたことを検出した場合に、確認表示制御部が、用紙設定確認画面を表示部に表示させることを特徴とする。【選択図】図４
2019119141.tif 000002
【特許請求の範囲】
【請求項１】
表示部と、
印刷する用紙を特定する用紙設定情報を予め記憶した記憶部と、
印刷する用紙を収納する用紙収納部と、
前記用紙収納部に対する用紙の有無を検出する用紙検出部と、
前記記憶部に記憶された用紙設定情報を含む用紙設定確認画面を、前記表示部に表示させる確認表示制御部とを備え、
前記用紙検出部が、前記用紙収納部に用紙が補給されたことを検出した場合に、
前記確認表示制御部が、前記用紙設定確認画面を、前記表示部に表示させることを特徴とする画像形成装置。
【請求項２】
前記用紙収納部は、手差しトレイと、給紙カセットを含むことを特徴とする請求項１に記載の画像形成装置。
【請求項３】
前記記憶部に、設定確認可否情報を予め記憶し、
前記設定確認可否情報が、確認許可に設定されている場合は、前記用紙設定確認画面を、表示部に表示させ、
前記設定確認可否情報が、確認不可に設定されている場合は、前記用紙設定確認画面を、表示部に表示させないようにすることを特徴とする請求項１に記載の画像形成装置。
【請求項４】
前記用紙設定情報として、前記用紙収納部に現在収納されている用紙に対応する設定あるいは前回の印刷処理で利用した用紙の設定を記憶した現在設定情報と、画像形成装置の出荷時に予め設定記憶される出荷時設定情報と、画像形成装置の管理者によって予め設定記憶されるユーザ設定情報のうちいずれか１つ以上の情報を、前記記憶部に記憶することを特徴とする請求項１に記載の画像形成装置。
【請求項５】
前記用紙設定情報には、画像形成装置で利用できる用紙の紙種を設定した用紙タイプと、用紙の大きさを設定した用紙サイズとが含まれることを特徴とする請求項１に記載の画像形成装置。
【請求項６】
前記用紙設定確認画面には、前記用紙収納部に現在収納されている用紙に対応する設定あるいは前回の印刷処理で利用した用紙の設定を記憶した現在設定情報と、画像形成装置の出荷時に予め設定記憶される出荷時設定情報と、画像形成装置の管理者によって予め設定記憶されるユーザ設定情報のうち、いずれかの情報が表示されることを特徴とする請求項１に記載の画像形成装置。
【請求項７】
前記用紙設定確認画面は、前記表示部に現在表示されている画面の上に重ねて、表示されることを特徴とする請求項１に記載の画像形成装置。
【請求項８】
前記表示部に所定の画面が表示されている場合には、前記用紙設定確認画面を表示しないようすることを特徴とする請求項１に記載の画像形成装置。
【請求項９】
前記用紙設定確認画面には、用紙設定情報を変更するための入力をする選択入力領域と、用紙設定情報の確認を完了したことを入力する選択入力領域とを、さらに表示することを特徴とする請求項１に記載の画像形成装置。
【請求項１０】
操作部と、前記用紙設定情報の内容を選択入力する設定選択入力部を、さらに備え、
前記用紙設定情報を変更するための入力をする選択入力領域が、前記操作部によって入力された場合は、設定情報変更画面を表示させ、前記設定選択入力部によって、前記用紙設定情報の設定項目の変更入力が可能な状態とすることを特徴とする請求項９に記載の画像形成装置。
【請求項１１】
前記設定情報変更画面には、用紙タイプを選択入力する画面と、用紙サイズを選択入力する画面とが含まれることを特徴とする請求項１０に記載の画像形成装置。
【請求項１２】
前記用紙設定情報の確認を完了したことを入力する選択入力領域が、ユーザによって入力された場合は、前記用紙設定確認画面を消去し、ユーザによる印刷処理を開始させるための入力が可能な状態とすることを特徴とする請求項９に記載の画像形成装置。
【請求項１３】
印刷処理を実行中において、前記用紙収納部に収納されていた用紙がなくなり、ユーザが前記用紙収納部に用紙を補給した場合に、前記確認表示制御部が、前記用紙収納部に収納されていた用紙に対応する用紙設定情報を含む用紙設定確認画面を、前記表示部に表示させることを特徴とする請求項１に記載の画像形成装置。
【請求項１４】
表示部と、印刷する用紙を特定する用紙設定情報を予め記憶した記憶部と、印刷する用紙を収納する用紙収納部と、前記用紙収納部に対する用紙の有無を検出する用紙検出部と、前記記憶部に記憶された用紙設定情報を含む用紙設定確認画面を、前記表示部に表示させる確認表示制御部とを備えた画像形成装置の用紙設定確認方法であって、
前記用紙検出部が、前記用紙収納部に用紙が補給されたことを検出した後、
前記確認表示制御部が、前記記憶部に記憶された用紙設定情報を含む用紙設定確認画面を、前記表示部に表示させることを特徴とする画像形成装置の用紙設定確認方法。
【発明の詳細な説明】
【技術分野】
【０００１】
この発明は、画像形成装置に関し、特に、印刷する用紙の給紙有無を検出する機能を有する画像形成装置に関する。
【背景技術】
【０００２】
従来から、画像形成装置が利用されているが、画像等の情報を印刷する用紙には、種々のサイズと紙質（紙種）の用紙が利用されている。
たとえば、Ａ４，Ｂ５というような定型サイズの用紙や、はがきや封筒など特殊な用途の紙製品が利用され、普通紙の他に、厚紙、色紙、ラベル紙など紙質の異なる用紙が利用されている。
定型サイズの普通紙などは、給紙カセットに収納されて給紙されるが、はがき、封筒、厚紙など定形外で紙質が特殊な用紙は、手差しトレイに配置されて給紙されることが多い。
【０００３】
ユーザが手差しトレイに用紙を配置した場合、配置された用紙の種別を認識するために、たとえば、用紙のサイズと用紙の紙種を設定するための設定画面を表示させて、ユーザが、手差しトレイに配置した用紙のサイズと紙種を設定入力する必要があった。
【０００４】
また、特許文献１では、手差しトレイに用紙がセットされた場合に、用紙幅センサ、用紙長センサ、紙種検知センサ、用紙厚み検知センサによって、その用紙のサイズや用紙の紙種を推定し、推定結果と、記憶手段に記憶されている用紙サイズ情報や紙種情報とを比較し、両者が異なっている場合は、手差し用紙設定画面をホップアップして、ユーザに対し用紙サイズや紙種の入力をするように誘導し、一方、両者が同じである場合は、手差し用紙設定画面のホップアップを行わずに設定を終了することにより、用紙サイズ情報や紙種情報の入力し忘れを抑制し、前回と同じ用紙サイズと紙種の用紙をセットした際のユーザの煩わしさを防止する画像形成装置が提案されている。
【先行技術文献】
【特許文献】
【０００５】
【特許文献１】特開２０１５−８７４７０号公報
【発明の概要】
【発明が解決しようとする課題】
【０００６】
しかし、従来の装置では、手差しトレイに用紙を配置した場合、用紙のサイズと用紙の紙種を設定するための設定画面を表示させるが、ユーザは、その設定画面に表示されている多数の設定項目の中から、所望の設定項目を選択する入力を、必ず行う必要があった。
【０００７】
また、特許文献１では、用紙のサイズや紙種が変更されたことを検知しセットされた用紙を推定するが、用紙のサイズを推定するために、用紙幅センサや用紙長センサを備える必要があり、さらに、用紙の紙種を推定するために、紙種検知センサや用紙厚み検知センサを備える必要があるので、装置の構造が複雑になり、上記のセンサと用紙サイズ等を推定するための制御プログラムを搭載する必要があるので、装置の価格が高くなる。
【０００８】
そこで、この発明は、以上のような事情を考慮してなされたものであり、用紙が補給された場合に、現在設定されている用紙のサイズ等の用紙設定情報をユーザが容易に確認でき、ユーザが確認をした後に用紙設定情報の変更が必要なときに、ユーザによる設定入力ができるようにし、ユーザの操作負担を軽減するとともに、用紙の設定が誤ったまま印刷等の処理が行われてしまうことを防止することを課題とする。
【課題を解決するための手段】
【０００９】
この発明は、表示部と、印刷する用紙を特定する用紙設定情報を予め記憶した記憶部と、印刷する用紙を収納する用紙収納部と、前記用紙収納部に対する用紙の有無を検出する用紙検出部と、前記記憶部に記憶された用紙設定情報を含む用紙設定確認画面を、前記表示部に表示させる確認表示制御部とを備え、前記用紙検出部が、前記用紙収納部に用紙が補給されたことを検出した場合に、前記確認表示制御部が、前記用紙設定確認画面を、前記表示部に表示させることを特徴とする画像形成装置を提供するものである。
【００１０】
また、前記用紙収納部は、手差しトレイと、給紙カセットを含むことを特徴とする。
また、前記記憶部に、設定確認可否情報を予め記憶し、前記設定確認可否情報が、確認許可に設定されている場合は、前記用紙設定確認画面を、表示部に表示させ、前記設定確認可否情報が、確認不可に設定されている場合は、前記用紙設定確認画面を、表示部に表示させないようにすることを特徴とする。
【００１１】
また、前記用紙設定情報として、前記用紙収納部に現在収納されている用紙に対応する設定あるいは前回の印刷処理で利用した用紙の設定を記憶した現在設定情報と、画像形成装置の出荷時に予め設定記憶される出荷時設定情報と、画像形成装置の管理者によって予め設定記憶されるユーザ設定情報のうちいずれか１つ以上の情報を、前記記憶部に記憶することを特徴とする。
【００１２】
また、前記用紙設定情報には、画像形成装置で利用できる用紙の紙種を設定した用紙タイプと、用紙の大きさを設定した用紙サイズとが含まれることを特徴とする。
【００１３】
また、前記用紙設定確認画面には、前記用紙収納部に現在収納されている用紙に対応する設定あるいは前回の印刷処理で利用した用紙の設定を記憶した現在設定情報と、画像形成装置の出荷時に予め設定記憶される出荷時設定情報と、画像形成装置の管理者によって予め設定記憶されるユーザ設定情報のうち、いずれかの情報が表示されることを特徴とする。
【００１４】
また、前記用紙設定確認画面は、前記表示部に現在表示されている画面の上に重ねて、表示されることを特徴とする。
また、前記表示部に所定の画面が表示されている場合には、前記用紙設定確認画面を表示しないようすることを特徴とする。
【００１５】
また、前記用紙設定確認画面には、用紙設定情報を変更するための入力をする選択入力領域と、用紙設定情報の確認を完了したことを入力する選択入力領域とを、さらに表示することを特徴とする。
【００１６】
また、操作部と、前記用紙設定情報の内容を選択入力する設定選択入力部を、さらに備え、前記用紙設定情報を変更するための入力をする選択入力領域が、前記操作部によって入力された場合は、設定情報変更画面を表示させ、前記設定選択入力部によって、前記用紙設定情報の設定項目の変更入力が可能な状態とすることを特徴とする。
【００１７】
また、前記設定情報変更画面には、用紙タイプを選択入力する画面と、用紙サイズを選択入力する画面とが含まれることを特徴とする。
また、前記用紙設定情報の確認を完了したことを入力する選択入力領域が、ユーザによって入力された場合は、前記用紙設定確認画面を消去し、ユーザによる印刷処理を開始させるための入力が可能な状態とすることを特徴とする。
【００１８】
また、印刷処理を実行中において、前記用紙収納部に収納されていた用紙がなくなり、ユーザが前記用紙収納部に用紙を補給した場合に、前記確認表示制御部が、前記用紙収納部に収納されていた用紙に対応する用紙設定情報を含む用紙設定確認画面を、前記表示部に表示させることを特徴とする。
【００１９】
また、この発明は、表示部と、印刷する用紙を特定する用紙設定情報を予め記憶した記憶部と、印刷する用紙を収納する用紙収納部と、前記用紙収納部に対する用紙の有無を検出する用紙検出部と、前記記憶部に記憶された用紙設定情報を含む用紙設定確認画面を、前記表示部に表示させる確認表示制御部とを備えた画像形成装置の用紙設定確認方法であって、前記用紙検出部が、前記用紙収納部に用紙が補給されたことを検出した後、前記確認表示制御部が、前記記憶部に記憶された用紙設定情報を含む用紙設定確認画面を、前記表示部に表示させることを特徴とする画像形成装置の用紙設定確認方法を提供するものである。
【発明の効果】
【００２０】
この発明によれば、用紙検出部が、用紙収納部に用紙が補給されたことを検出した場合に、確認表示制御部が、記憶部に記憶された用紙設定情報を含む用紙設定確認画面を、表示部に表示させるので、ユーザによって用紙が補給された場合に、ユーザがその他の特別な入力操作を行うことなく、たとえば現在設定されている用紙設定情報が表示され、ユーザは、自ら補給した用紙の設定が現在設定されている用紙設定情報と異なるかあるいは同一かを容易に確認でき、用紙の設定が誤ったまま、印刷等の処理が行われてしまうことを防止することができる。
また、用紙設定確認画面に、用紙設定情報の内容に加えて、用紙設定情報を変更するための入力をする選択入力領域を表示させ、この用紙設定情報を変更するための入力をする選択入力領域が、ユーザによって入力された場合は、設定情報変更画面を表示させ、ユーザによる設定項目の変更入力が可能な状態とするので、用紙設定情報の変更が必要なときにのみ、ユーザによる用紙の設定入力ができ、ユーザの操作負担を軽減することができる。
【図面の簡単な説明】
【００２１】
【図１】この発明の画像形成装置の一実施例の概略斜視図である。
【図２】この発明の画像形成装置の一実施例の構成ブロック図である。
【図３】この発明の画像形成装置に記憶される情報の一実施例の説明図である。
【図４】この発明の画像形成装置における用紙設定確認画面の表示処理等の一実施例のフローチャートである。
【図５】この発明の画像形成装置における用紙設定確認画面の表示処理等の一実施例のフローチャートである。
【図６】この発明の画像形成装置において、用紙設定確認画面の一実施例の説明図である。
【図７】この発明の画像形成装置の表示部に表示される用紙設定確認画面の一実施例の説明図である。
【図８】この発明の画像形成装置の表示部に表示される用紙設定確認画面の一実施例の説明図である。
【図９】この発明の画像形成装置の表示部に表示される基準画面の一実施例の説明図である。
【図１０】この発明の画像形成装置の表示部に表示される用紙設定確認画面の一実施例の説明図である。
【図１１】この発明の画像形成装置の表示部に表示される設定情報変更画面の一実施例の説明図である。
【図１２】この発明の画像形成装置の表示部に表示される用紙設定確認画面の一実施例の説明図である。
【図１３】この発明の画像形成装置の表示部に表示される設定情報変更画面の一実施例の説明図である。
【図１４】この発明の画像形成装置の表示部に表示される設定情報変更画面の一実施例の説明図である。
【発明を実施するための形態】
【００２２】
以下、図面を使用して本発明の実施の形態を説明する。なお、以下の実施例の記載によって、この発明が限定されるものではない。
＜画像形成装置の構成＞
図１に、この発明の画像形成装置の一実施例の概略斜視図を示す。
画像形成装置（以下、ＭＦＰ：Multifunction Peripheral、複合機とも呼ぶ）１は、画像データを処理する装置であり、たとえば、複写機能、印刷機能、原稿読取機能（スキャン機能）、ＦＡＸ機能、通信機能などを備えた電子機器である。
【００２３】
図１において、画像形成装置１は、特に、印刷する用紙を収納する部材として、手差しトレイ１５ａと、給紙カセット１５ｂを備え、現在設定されている用紙設定情報などを確認するための表示部１３と、用紙設定情報を設定入力するための操作部１２を備える。
また、操作部１２としてタッチパネルを用い、操作部１２と表示部１３とを重ね合わせて配置してもよい。
その他に、画像形成装置の複写機能や印刷機能などを実行するための構成部材が備えられる。たとえば、手差しトレイ１５ａと、給紙カセット１５ｂに加え、排出トレイと、搬送された用紙を排出トレイに排出する排出機構を備える。また、原稿送り装置（図示せず）、スキャナ、転写装置、定着装置など、従来の画像形成装置と同様の構成も備える。
【００２４】
手差しトレイ１５ａは、印刷する用紙の載置台であり、手差しトレイ１５ａには、ユーザが印刷しようとする所望の用紙を配置できる。
たとえば、定型サイズの用紙や、はがきやラベル紙などの不定型サイズの用紙や、特殊な紙質の用紙が、手差しトレイ１５ａに配置される。
【００２５】
図１（a）では、手差しトレイ１５ａを閉じた収容状態（不使用状態）を示しており、図１（b）では、手差しトレイ１５ａを開いた使用状態を示している。
印刷しようとする所望の用紙を、手差しトレイ１５ａから給紙する場合、ユーザは、図１（b）のように、手差しトレイ１５ａを開き、手差しトレイ１５ａの上に、１または複数枚の所望の用紙を配置する。
手差しトレイ１５ａに配置された用紙を用いて印刷を開始した場合、図示しないピックアップローラによって、用紙が１枚ずつ、手差しトレイの用紙搬入口から装置内部に取り込まれる。
【００２６】
また、手差しトレイ１５ａの用紙搬入口の近傍には、後述する用紙検出部となるスイッチや光学センサが取り付けられる。スイッチは、手差しトレイ１５ａの上面から一部が突出するように配置され、手差しトレイ１５ａに配置された用紙によって押し下げが可能な構造である。
手差しトレイ１５ａに用紙が配置された場合、たとえば、その用紙によってスイッチが押し下げられることにより、手差しトレイ１５ａに用紙が配置されていることが検出され、スイッチが押し下げられていない場合には、手差しトレイ１５ａに用紙が配置されていないことが検出される。
【００２７】
一方、給紙カセット１５ｂには、主として、Ａ４やＢ５のような定型サイズの用紙が収納される。給紙カセット１５ｂに収納された用紙は、ピックアップローラによって、用紙が１枚ずつ、給紙カセットの用紙搬入口から装置内部に取り込まれる。
【００２８】
特に、この発明では、画像形成装置の記憶部に用紙設定情報を予め記憶しておき、
手差しトレイに用紙が配置された場合や、給紙カセットに用紙が給紙された場合に、ユーザが特別な入力操作をすることなく、自動的に、表示部に、用紙設定確認画面を表示させる。
用紙設定情報には、後述するように、用紙の大きさを特定する情報（用紙サイズ情報と呼ぶ）と、画像形成装置で利用できる用紙の種類（紙種）を特定する情報（用紙タイプ情報と呼ぶ）とが含まれる。
用紙設定確認画面には、記憶部に予め記憶されている用紙設定情報、たとえば、前回の印刷で使用した用紙の用紙サイズと用紙タイプを含む設定情報（現在設定情報）が、表示される。
【００２９】
ユーザは、用紙設定確認画面を見ることによって、これから印刷しようとしている用紙が、現在記憶されている用紙設定情報と同一か否かを確認することができ、印刷しようとしている用紙が記憶されている用紙設定情報と同一であれば、その後すぐに、印刷開始処理に入ることができ、印刷しようとしている用紙が記憶されている用紙設定情報と同一でない場合に、ユーザは、用紙設定情報を変更する入力操作を行えばよい。
【００３０】
図２に、この発明の画像形成装置の一実施例の構成ブロック図を示す。
図２において、この発明の画像形成装置（ＭＦＰ）１は、主として、制御部１１、操作部１２、表示部１３、出力部１４、用紙収納部１５、用紙検出部１６、確認表示制御部１７、設定選択入力部１８、設定更新部１９、記憶部５０を備える。
また、用紙収納部１５は、手差しトレイ１５ａと、給紙カセット１５ｂを含む。
さらに、ＭＦＰ１は、複写機能、原稿読取機能、通信機能などを実行するために、画像入力部、画像形成部、通信部等を備えてもよい。
【００３１】
制御部１１は、操作部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の用紙検出機能、確認表示制御機能などを実行する。
【００３２】
操作部１２は、文字などの情報の入力、用紙等の設定情報の選択入力、機能の選択入力をする部分であり、たとえば、キーボード、マウス、タッチパネルなどが用いられる。
この発明では、特に、用紙サイズ情報と、用紙タイプ情報の設定入力を行う。
【００３３】
表示部１３は、情報を表示する部分であり、現在設定されている用紙設定情報や、各機能の実行に必要な情報や、機能の実行の結果などを、利用者に知らせるために表示する。たとえば、LCD、有機ELディスプレイなどが用いられ、操作部１２としてタッチパネルが用いられる場合は、表示部とタッチパネルとが重ね合わせて配置される。
【００３４】
出力部１４は、画像情報を出力する部分であり、たとえば、画像情報を紙媒体に印刷して出力するプリンタに相当する。
印刷すべき情報は、現在設定されている用紙設定情報に基づいて、印刷すべき情報の大きさが調整され、設定された用紙の紙質に対応した印刷制御が行われて、情報が印刷された紙媒体が出力される。
ただし、情報の出力は、印刷に限るものではなく、ＵＳＢメモリなどの外部の記憶媒体への情報の記憶や、インターネットなどのネットワークを介して他の情報処理装置やサーバへの情報の送信でもよい。
【００３５】
用紙収納部１５は、画像情報等を印刷する用紙を収納する部分であり、上記したように、手差しトレイ１５ａと、給紙カセット１５ｂとが含まれる。
以下、用紙収納部１５に用紙を収納することには、手差しトレイ１５ａに用紙を配置（又は載置）することと、給紙カセット１５ｂに用紙を収納することの両方を含むものとする。
【００３６】
手差しトレイ１５ａは、上記したように、ユーザが印刷しようとする所望の用紙を配置できる載置台であり、手差しトレイ１５ａに取り付けられたガイド部材に当接するように、用紙を配置させる。
手差しトレイ１５ａには、１枚から十数枚程度の種々のサイズおよび紙種の用紙が配置できる。
手差しトレイ１５ａに新たに用紙が配置されたこと（用紙給紙検出）や、手差しトレイ１５ａに配置された用紙がなくなったこと（用紙切れ検出）を検出するために、手差しトレイ１５ａには、後述する用紙検出部が備えられる。
【００３７】
給紙カセット１５ｂは、印刷に利用する用紙を収納する容器であり、装置の規模によって、１又は複数の給紙カセット１５ｂが取り付けられる。
１つの給紙カセット１５ｂには、主に、同じ定型サイズの用紙が、複数枚収納できる。
給紙カセット１５ｂにも、用紙給紙検出や用紙切れ検出をするために、用紙検出部が備えられる。
【００３８】
以下の実施例では、用紙収納部１５のうち、主に、手差しトレイ１５ａに用紙が配置された場合の表示や印刷について説明する。ただし、給紙カセット１５ｂに用紙が収納された場合も、同様の処理をしてもよく、適宜、手差しトレイ１５ａを、給紙カセット１５ｂに読み替えることができる。
【００３９】
用紙検出部１６は、用紙収納部１５に対する用紙の有無を検出する部分である。
すなわち、用紙収納部１５である手差しトレイ１５ａと給紙カセット１５ｂに対して用紙の有無を検知する。たとえば、手差しトレイ１５ａに、用紙が配置されたか否かを検出し、さらに、用紙がなくなったか否かを検出する。
用紙検出部１６としては、押し釦スイッチや光学センサが用いられる。
たとえば、手差しトレイ１５ａに配置された用紙を装置本体内部に取り込むための、手差しトレイ１５ａの用紙搬入口の近傍には、手差しトレイ１５ａの上面から一部が突出する押し釦スイッチが取り付けられる。
【００４０】
手差しトレイ１５ａに用紙が配置されると、押し釦スイッチが押し下げられ、スイッチの接点が閉じて、押し釦スイッチが押し下げられたことを示す信号（給紙検出信号）が出力され、CPUがこの給紙検出信号を受信することにより、手差しトレイ１５ａに用紙があること（用紙給紙）が検出される。
【００４１】
逆に、給紙検出状態であったときに、手差しトレイ１５ａに配置されていた用紙がなくなった場合、押し下げられていた押し釦スイッチが開放されてスイッチの接点が開き、押し釦スイッチが押し下げられたことを示す信号（給紙検出信号）が出力されなくなる。CPUが、この給紙検出信号の受信状態から受信しない状態に変化したことを検出することにより、手差しトレイ１５ａに用紙がなくなったこと（用紙切れ）が検出される。
この発明では、用紙検出部１６が、手差しトレイ１５ａのような用紙給紙部１５に用紙が補給されたことを検出した場合には、自動的に、後述する確認表示制御部１７が、用紙設定確認画面を、表示部１３に表示させる。
【００４２】
確認表示制御部１７は、用紙設定確認画面を生成し、表示部１３に、その用紙設定確認画面を表示させる部分である。
用紙設定確認画面は、記憶部に記憶された用紙設定情報を含む画面であり、ユーザが、現在の用紙設定情報の内容を確認するための画面であり、後述する図６に示すような画面である。
たとえば、用紙検出部１６によって、手差しトレイ１５ａへの用紙給紙が検出された場合に、確認表示制御部１７は、記憶部５０から、現在の用紙設定情報（現在設定情報）を読み出し、現在設定情報に含まれる用紙サイズ情報と用紙タイプ情報とを取得し、取得した用紙サイズ情報と用紙タイプ情報の内容を含めた用紙設定確認画面を生成し、生成された用紙設定確認画面を表示部１３に表示させる。
【００４３】
設定選択入力部１８は、用紙設定情報に含まれる用紙サイズや用紙タイプなどの設定項目の内容を、選択入力する部分である。
選択入力は、後述する図１１，図１３，図１４に示したような所定の設定情報変更画面５７を表示させて行えばよい。
設定情報変更画面５７には、用紙タイプを選択入力する選択入力用画面と、用紙サイズを選択入力する選択入力用画面とが含まれる。
たとえば、用紙サイズを設定あるいは変更するために、用紙サイズの選択入力用の画面を表示させ、ユーザが、その選択入力用画面に表示された複数の用紙サイズのうち、所望の用紙サイズを選択的に入力する。
また、用紙タイプを設定あるいは変更するために、用紙タイプの選択入力用の画面を表示させ、ユーザが、その選択入力用画面に表示された複数の用紙タイプのうち、所望の用紙タイプを選択的に入力する。
【００４４】
用紙サイズや用紙タイプなどの用紙設定情報の選択入力は、用紙設定確認画面を表示部１３に表示させた後、ユーザが現在の用紙設定情報（現在設定情報）を確認して設定項目の変更が必要と判断した場合に、行われる。
一方、用紙設定確認画面を表示部１３に表示させた後、ユーザが現在の用紙設定情報（現在設定情報）を確認して設定項目の変更は必要ないと判断した場合は、用紙設定情報の選択入力は、行われない。
【００４５】
設定更新部１９は、記憶部５０に記憶されている現在の用紙設定情報（現在設定情報）を更新する部分である。ここでは、記憶されている現在の用紙設定情報の設定項目の内容を、設定選択入力部１８によって選択入力された設定項目の内容に、変更する。
このように、ユーザが、設定選択入力部１８によって、印刷に利用しようとする用紙に適合するように、用紙設定情報の設定項目の内容を変更する入力操作をすることによって、現在の用紙設定情報の設定項目の内容が更新され、印刷に利用しようとする用紙に適合する設定内容で、印刷が実行される。
【００４６】
記憶部５０は、この発明の画像形成装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、用紙情報５１、出荷時設定情報５２、ユーザ設定情報５３、現在設定情報５４、設定確認可否情報５５、用紙設定確認画面５６、設定情報変更画面５７などが記憶される。
【００４７】
記憶される情報のうち、変更あるいは削除等される可能性のある情報は、フラッシュメモリやＨＤＤに記憶されるが、出荷時設定情報５２など、変更されては困る情報は、ＲＯＭに記憶してもよい。
出荷時設定情報５２、ユーザ設定情報５３、現在設定情報５４の３つの情報は、上記した印刷する用紙を特定する用紙設定情報に相当する。
用紙設定情報は、印刷する際に利用する用紙の設定項目の内容を記憶した情報であり、これらの３つの情報をすべて記憶してもよいが、少なくとも、現在設定情報５４のみを記憶するようにしてもよい。
【００４８】
図３に、画像形成装置の記憶部５０に記憶される情報の一実施例の説明図を示す。
用紙情報５１は、画像形成装置で利用できる用紙に関する情報を予め記憶したものである。
図３（a）に、用紙情報５１の一実施例を示す。
たとえば、用紙情報５１として、用紙タイプと用紙サイズが記憶される。
用紙タイプには、普通紙、再生紙、厚紙、ラベル紙というように、画像形成装置で利用できる複数の用紙の種類（紙種）の名称が予め記憶される。
また、ユーザタイプ１というように、ユーザが独自に定義した用紙タイプを記憶してもよい。
【００４９】
用紙サイズには、画像形成装置で利用できる複数の用紙のサイズであって、Ａ３、Ａ４というような定型サイズと、レター、はがきというような不定型サイズの名称が予め記憶される。
また、ユーザ１、ユーザ２というように、ユーザが独自に定義した用紙サイズを記憶してもよい。
【００５０】
用紙情報５１は、以下に示す現在設定情報５４などの設定項目の内容に利用され、さらに、用紙サイズの選択入力用の画面（用紙サイズ入力画面）や、用紙タイプの選択入力用の画面（用紙タイプ入力画面）の表示項目に利用される。
また、用紙情報５１は、画像形成装置の管理者やユーザによって、変更や追加ができるように、ＨＤＤなどの書き換え可能な不揮発性の記憶装置に、記憶することが好ましい。
【００５１】
出荷時設定情報５２は、画像形成装置の出荷時に、予め設定され、記憶部５０に書き込まれる用紙設定情報を意味する。
出荷時設定情報５２は、画像形成装置の状態を出荷時の初期状態に戻せるようにするために、ＲＯＭのような読み出し専用の不揮発性の記憶素子に、記憶することが好ましい。
【００５２】
図３（b）に、出荷時設定情報５２の一実施例を示す。
たとえば、出荷時設定情報５２として、用紙タイプと用紙サイズが記憶される。
図３（b）では、出荷時設定情報５２の用紙タイプとして、普通紙が予め設定され、出荷時設定情報５２の用紙サイズとして、Ａ４が予め設定されている。
ユーザが印刷に利用している用紙が、Ａ４サイズの普通紙である場合は、この出荷時設定情報５２を利用すれば、適切な印刷が実行できる。
【００５３】
ユーザ設定情報５３は、画像形成装置の運用を開始した後に、画像形成装置の管理者やユーザによって予め設定され、記憶部５０に記憶される用紙設定情報を意味する。
ユーザ設定情報５３は、管理者やユーザによって変更、追加、削除ができるようにするために、ＨＤＤのような書き換え可能な不揮発性の記憶装置に、記憶することが好ましい。
【００５４】
図３（c）に、ユーザ設定情報５３の一実施例を示す。
たとえば、ユーザ設定情報５３として、用紙タイプと用紙サイズが記憶される。
図３（c）では、ユーザ設定情報５３の用紙タイプとして、ラベル紙が予め設定され、ユーザ設定情報５３の用紙サイズとして、Ｂ５が予め設定されている。
【００５５】
たとえば、画像形成装置を利用するほとんどのユーザが、常にＢ５サイズのラベル紙を使用する場合は、図３（c）のユーザ設定情報５３を予め記憶しておき、記憶部に記憶された現在設定情報５４が、このユーザ設定情報５３と異なっていたとしても、次にユーザが画像形成装置を利用するときは、いつでも、優先的に、このユーザ設定情報５３を、現在設定情報５４に書き換えるようにしてもよい。
これにより、通常利用する用紙が、ユーザ設定情報５３に設定されたものにほぼ固定的に決まっている環境では、ユーザは、用紙設定情報を変更する入力操作をほとんどする必要がなくなり、ユーザの操作負担を軽減できる。
【００５６】
また、ユーザ設定情報５３は、必要な時に設定すればよく、様々な用紙を利用する環境では、設定しなくてもよい。
あるいは、ユーザごとに使用する用紙が決まっている場合には、ユーザ設定情報５３として、ユーザごとに異なる用紙設定を記憶してもよい。
【００５７】
現在設定情報５４は、記憶部５０に記憶されている用紙設定情報のうち、現在、印刷等の処理を実行する場合に、利用される用紙設定情報であり、原則として、手差しトレイなどの用紙収納部に現在配置（収納）されている用紙に対応する用紙設定情報である。
また、前回の印刷処理等で利用した用紙の設定情報である。
すなわち、前回、印刷等の処理を実行した後、その印刷等の処理で使用された用紙設定情報がそのまま、現在設定情報５４に記憶されている。
現在設定情報５４は、設定更新部１９によって、更新ができるようにするために、ＨＤＤのような書き換え可能な不揮発性の記憶装置に、記憶される。
【００５８】
図３（d）に、現在設定情報５４の一実施例を示す。
たとえば、現在設定情報５４として、用紙タイプと用紙サイズが記憶される。
図３（d）では、現在設定情報５４の用紙タイプとして、再生紙が予め設定され、現在設定情報５４の用紙サイズとして、Ａ４が予め設定されている。
この発明では、現在設定情報５４には、少なくとも、手差しトレイに対する用紙タイプと用紙サイズが記憶されるものとする。
ただし、手差しトレイに加えて、給紙カセットの現在設定情報５４を記憶してもよく、現在設定情報５４として、手差しトレイと給紙カセットごとに、それぞれ、現在設定情報５４を記憶すればよい。給紙カセットが複数ある場合は、それらの給紙カセットごとに、現在設定情報５４を記憶すればよい。
【００５９】
現在設定情報５４は、必ず記憶される情報であるが、前回の印刷等の処理で利用した用紙設定情報がそのまま記憶される他に、出荷時設定情報５２やユーザ設定情報５３を読み出して、現在設定情報５４に設定するようにしてもよい。
また、現在設定情報５４は、用紙設定確認画面５６に表示される用紙設定情報の設定項目の内容に利用される。すなわち、現在設定情報５４の設定項目の内容を利用して、用紙設定確認画面５６が生成される。
【００６０】
設定確認可否情報５５は、用紙設定確認画面５６を表示するか否かを予め設定した情報である。
図３（e）に、設定確認可否情報５５の一実施例を示す。
たとえば、ユーザが用紙設定情報を確認することを意味する「１」が設定されている場合（確認許可）は、用紙設定確認画面５６を表示部１３に表示させるものとする。
あるいは、ユーザが用紙設定情報を確認しないことを意味する「０」が設定されている場合（確認不可）は、用紙設定確認画面５６を表示部１３に表示させないものとする。
設定確認可否情報５５は、画像形成装置の管理者やユーザによって、設定変更ができることが好ましく、ＨＤＤのような書き換え可能な不揮発性の記憶装置に、記憶される。
【００６１】
設定確認可否情報５５に「１」が設定されている場合（確認許可）において、手差しトレイに用紙が配置された場合は、自動的に、表示部に、用紙設定確認画面５６を表示させる。
ユーザは、この画面の表示内容を見ることにより、手差しトレイに用紙を配置した後、特別な入力操作をすることなく、現在の用紙設定情報を、容易に確認することができる。
【００６２】
一方、設定確認可否情報５５に「０」が設定されている場合（確認不可）において、手差しトレイに用紙が配置された場合は、表示部に用紙設定確認画面５６を表示させないで、印刷等の処理を開始できるようにする。使用する用紙が常に固定的に決まっている場合においては、設定確認可否情報５５に「０」を設定しておくことによって、手差しトレイに用紙を配置すれば、ユーザは、用紙設定情報を確認することなく、迅速に、印刷開始等の処理に移行することができる。
【００６３】
用紙設定確認画面５６は、主として、現在設定情報５４を含む情報を表示した画面であり、ユーザが、現在、印刷等の処理を実行する場合に利用される用紙設定情報を確認するための画面である。
上記したように、用紙検出部１６によって、用紙給紙部１５に用紙が給紙されたことを検出した場合に、確認表示制御部１７によって、記憶部５０に記憶された現在設定情報５４を利用して、用紙設定確認画面５６が生成され、表示部１３に表示される。
また、用紙設定確認画面５６には、現在設定情報５４の他に、出荷時設定情報５２やユーザ設定情報５３のうち、いずれかの情報を表示してもよい。
【００６４】
図６に、用紙設定確認画面５６の一実施例を示す。
ここでは、現在設定情報５４の用紙タイプに普通紙が記憶されており、用紙サイズにＡ４が記憶されていた場合の用紙設定確認画面５６を示している。
タイプという文字の右横に、記憶されている用紙タイプ（普通紙）が表示され、サイズという文字の右横に、記憶されている用紙サイズ（Ａ４）が表示されている。
図６では、ユーザに、次に行う操作を指示するために、「印刷する用紙と異なる場合は、[変更]を押してください。」という文も表示しているが、この文は表示しなくてもよい。
【００６５】
また、用紙設定確認画面５６は、用紙設定情報を確認するための画面であるので、この画面５６が表示された状態では、表示された用紙タイプと用紙サイズは、変更できないものとする。
そこで、図６に示すように、用紙設定確認画面５６の中に、入力操作が可能なように、「変更」と、「ＯＫ」を表示した領域を設ける。
「変更」という文字が表示された領域は、用紙設定情報を変更するための入力をする選択入力領域である。すなわち、用紙タイプおよび用紙サイズのうち少なくともどちらか一方の用紙設定情報を、表示された用紙タイプおよび用紙サイズと異なる内容に変更しようとする場合に、選択入力する領域である。
【００６６】
「変更」という文字が表示された選択入力領域が、ユーザによって選択入力された場合は、用紙設定情報を変更することが可能な選択入力用画面が表示される。この選択入力用画面は、上記した設定情報変更画面５７に相当する。
その後、設定選択入力部１８によって、用紙設定情報の設定項目の変更入力が可能な状態となり、ユーザは、選択入力用画面を利用して、用紙タイプや用紙サイズなどの用紙設定情報を変更する入力操作をすればよい。
【００６７】
「ＯＫ」という文字が表示された領域は、用紙設定情報の確認を完了したことを意味する入力をする選択入力領域であり、用紙設定確認画面５６の表示を終了させる場合に、選択入力する領域である。ユーザが、用紙設定確認画面５６に表示された用紙タイプと用紙サイズを見て、これから印刷しようとする用紙に一致する設定がすでにされている場合は、「ＯＫ」という文字が表示された領域を選択入力する。
【００６８】
「ＯＫ」という文字が表示された選択入力領域が、ユーザによって選択入力された場合は、用紙設定確認画面５６を消去し、ユーザによる印刷処理を開始させるための入力が可能な状態となる。
たとえば、印刷処理を開始するための入力操作が可能な画面を表示させる。
あるいは、特定の機能を実行していない場合に表示部１３に表示される基準画面を表示してもよい。
【００６９】
用紙設定確認画面５６は、ユーザが用紙設定情報の内容を確認しやすいようにするために、表示部１３の表示画面全体に、大きく表示してもよい。
図７と図８に、用紙設定確認画面５６を、ポップアップ画面で表示した一実施例の説明図を示す。
たとえば、特定の機能を実行していない場合に、用紙設定確認画面５６を、表示部１３に現在表示されている画面の上に重ねて、表示する。
上記した基準画面に重ねて、用紙設定確認画面５６を、基準画面の一部分の上の最前面に、表示してもよい。
【００７０】
図９に、用紙設定確認画面５６をポップアップ表示させる時の背景となる基準画面の一実施例の説明図を示す。
図９では、３つの基準画面の一実施例を示している。
図９（a）は、装置の電源を投入した後に表示される画面である。
図９（b）は、図９（a）の画面が表示されている場合において、「コピー」が表示されている領域を選択入力したときに表示される画面である。
図９（c）は、図９（a）の画面が表示されている場合において、特定の入力操作をしたときに表示される画面である。
【００７１】
これらの３つの基準画面のいずれかが表示されている状態で、手差しトレイなどの用紙給紙部に用紙が補給された場合に、図７あるいは図８のように、用紙設定確認画面５６が、ポップアップ画面で表示される。
【００７２】
また、上記した設定確認可否情報５５は、用紙設定確認画面５６を表示するか否かを設定した情報であるが、この可否情報に加えて、用紙設定確認画面５６をポップアップ表示することが可能な背景の画面を、個別に予め設定できるようにしてもよい。
【００７３】
あるいは、逆に、用紙設定確認画面５６をポップアップ表示してはいけない背景の画面を設定してもよい。
用紙設定確認画面５６をポップアップ表示してはいけない背景の画面とは、ユーザが所定の情報を設定入力している際に、用紙設定確認画面５６を重ねてポップアップ表示すると、設定内容が正常に入力されなくなるというような不都合が生じる可能性のある画面である。
たとえば、システム設定画面表示中、取扱説明書表示中、プログラム、アプリ（OSA）実行画面、ログイン画面、仕上げモード画面、手差しトレイ設定画面、ウォークアップジョブ実行中画面、ジャムマップ/ジャムガイダンス表示中画面、トナー回収容器交換ガイダンス表示中、省エネモード中、シミュレーション画面表示中等の画面を、用紙設定確認画面５６をポップアップ表示してはいけない背景の画面として、設定してもよい。
【００７４】
このように設定された用紙設定確認画面５６を重ねてポップアップ表示すると不都合が生じる可能性のある画面が、表示部に表示されている場合には、たとえ手差しトレイに用紙が補給されたとしても、用紙設定確認画面５６を表示しないようにする。
また、用紙設定確認画面５６をポップアップ表示してはいけない背景の画面を予め設定した場合において、表示部にそれ以外の画面が表示されているときは、用紙設定確認画面５６をポップアップ表示することを許可するようにしてもよい。
【００７５】
図１２に、用紙設定確認画面５６を、ポップアップ画面で表示した場合の表示画面について、他の一実施例の説明図を示す。
図１２の用紙設定確認画面５６でも、図６と同様に、タイプおよびサイズという文字の右横に、それぞれ現在記憶されている用紙タイプと用紙サイズとを表示している。
ただし、図１２では、用紙タイプと用紙サイズが表示されている領域が、選択入力可能な領域となっている。
ユーザは、図１２の用紙設定確認画面５６を見て、現在の用紙タイプと用紙サイズの設定が、補給された用紙に対応するものか否かを確認する。
用紙タイプあるいは用紙サイズの設定を変更したい場合は、ユーザは、用紙タイプあるいは用紙サイズが表示されている領域を、選択入力すればよい。
【００７６】
また、図１２では、図６と同様に、用紙設定情報の確認を完了したことを意味する選択入力をするために、「ＯＫ」という文字が表示された領域を設ける。
ユーザが「ＯＫ」という文字が表示された領域を選択入力した場合は、図１２の用紙設定確認画面５６の表示を終了させる。
【００７７】
たとえば、図１２の用紙タイプが表示されている領域を選択入力すると、用紙タイプの選択入力が可能な画面に切り替えられる。
すなわち、表示部の表示が、図１２の用紙設定確認画面５６から、図１３に示すような設定情報変更画面５７に変更される。
図１３の設定情報変更画面５７を見ながら、ユーザは、所望の用紙タイプを選択入力すればよい。
また、図１３の設定情報変更画面５７から、図１２の用紙設定確認画面５６に戻るためには、たとえば、設定情報変更画面５７の右上にある「OK」が表示されている領域を選択入力すればよい。
【００７８】
また、図１２の用紙サイズが表示されている領域を選択入力すると、用紙サイズの選択入力が可能な画面に切り替えられる。
すなわち、表示部の表示が、図１２の用紙設定確認画面５６から、図１４に示すような設定情報変更画面５７に変更される。
図１４の設定情報変更画面５７を見ながら、ユーザは、所望の用紙サイズを選択入力すればよい。
また、図１４の設定情報変更画面５７から、図１２の用紙設定確認画面５６に戻るためには、同様に、設定情報変更画面５７の右上にある「OK」が表示されている領域を選択入力すればよい。
【００７９】
図１２の用紙設定確認画面５６では、用紙タイプと用紙サイズという２つの用紙設定情報のうち、ユーザが変更したい用紙設定情報が表示されている領域を選択入力することによって、変更したい用紙設定情報を直接選択入力可能な設定情報変更画面５７に切り替わるので、所望の用紙設定情報の変更を、より容易かつ迅速に行うことができる。
【００８０】
設定情報変更画面５７は、上記したように、用紙サイズや用紙タイプなどの用紙設定情報を表示した画面であり、ユーザが、所望の用紙設定情報の設定項目を選択入力することが可能な画面である。すでに示したように、図１１、図１３および図１４が、設定情報変更画面５７の一実施例である。
【００８１】
＜この発明の画像形成装置の用紙設定確認画面の表示処理＞
ここでは、用紙設定確認画面の表示処理等の一実施例のフローチャートを示す。
特に、印刷処理等の機能を実行していない状態で、手差しトレイに用紙を配置した場合の処理と、印刷処理を実行している状態で、手差しトレイに用紙がなくなったために、手差しトレイに用紙を補給した場合の処理について、説明する。
【００８２】
設定確認可否情報５５には、ユーザが用紙設定情報を確認することを意味する「１」が設定されているものとする。
また、記憶部５０の現在設定情報５４には、前回実行した印刷処理で利用された用紙設定情報（用紙タイプと用紙サイズ）が、記憶されているものとする。
以下の実施例では、手差しトレイについて用紙検出を行う場合の処理を説明するが、給紙カセットについての用紙検出を行う場合も、ほぼ同様の処理を行うことができる。
【００８３】
（実施例１）
図４に、この発明の画像形成装置において、手差しトレイに用紙を配置した場合における用紙設定確認画面の表示処理等の一実施例のフローチャートを示す。
印刷処理等の機能を実行していない状態であれば、上記した図９に示したような基準画面が、表示部１３に表示されている。
図４のステップS1において、制御部１１が、用紙収納部１５の手差しトレイ１５ａに、用紙があるかないかを確認する。
たとえば、制御部１１は、用紙検出部１６である押し釦スイッチから出力された給紙検出信号が受信されているか否かをチェックする。
給紙検出信号が受信される場合は、手差しトレイ１５ａに用紙があると判断し、給紙検出信号が受信されない場合は、手差しトレイ１５ａに用紙がないと判断する。
【００８４】
ステップS2において、用紙があると判断された場合は、ステップS4に進み、用紙がないと判断された場合は、ステップS3に進む。
ステップS3において、表示部１３に、手差しトレイ１５ａに用紙がないことを示すメッセージを表示して、ステップS1に戻る。
あるいは、このメッセージを表示せずに、ステップS1に戻ってもよい。
手差しトレイ１５ａに用紙がないことを示すメッセージを表示することによって、ユーザは、所望の用紙を、手差しトレイ１５ａに配置してもよいことを確認できる。
【００８５】
手差しトレイ１５ａを利用して印刷をしようとするユーザが、画像形成装置のところへ行き、手差しトレイ１５ａに、所望の用紙を配置したとする。
ユーザが、用紙を手差しトレイ１５ａに配置したことにより、用紙検出部１６から出力された給紙検出信号が受信されるので、用紙があると判断され、ステップS4に進む。
ステップS4において、確認表示制御部１７が、記憶部５０に記憶されている現在設定情報５４を読み出し、現在設定情報５４に含まれる用紙タイプと用紙サイズを取得する。
さらに、確認表示制御部１７は、取得した用紙タイプと用紙サイズの内容を利用して、用紙設定確認画面５６を生成する。
すなわち、用紙が手差しトレイ１５ａにセットされたことを用紙検出部１６が検知することにより、表示部１３に用紙設定確認画面５６を表示する。
【００８６】
ステップS5において、確認表示制御部１７が、生成した用紙設定確認画面５６を、表示部１３に表示させる。すなわち、図９に示したような基準画面の表示状態から、基準画面の上に重ねて用紙設定確認画面５６をポップアップ表示した状態に切り替える。
たとえば、図６に示したような用紙設定確認画面５６を、図７に示したように、ポップアップ画面で表示させる。あるいは、図１２に示したように、用紙設定確認画面５６をポップアップ画面で表示させてもよい。
ユーザは、この用紙設定確認画面５６に表示された用紙タイプと用紙サイズの内容を見て、ユーザがこれから印刷しようとする用紙が、表示された用紙タイプおよび用紙サイズと同一のものであるか否かを確認する。
【００８７】
用紙設定確認画面５６には、図６に示したように、「変更」と、「ＯＫ」とが表示されているので、印刷しようとする用紙が、表示された用紙タイプおよび用紙サイズと同一のものである場合、ユーザは、「ＯＫ」の領域を選択入力する。
一方、印刷しようとする用紙が、表示された用紙タイプおよび用紙サイズと異なるものである場合、ユーザは、「変更」の領域を選択入力する。たとえば、タッチパネルが備えられている場合は、図１０に示すように、用紙設定確認画面５６が表示されている状態で、「変更」の領域を、指または入力ペンを用いて、選択入力する。
【００８８】
ステップS6において、ユーザの入力の有無をチェックする。
ステップS7において、「変更」の領域を選択入力するユーザの入力がある場合は、ステップS9に進み、そうでない場合は、ステップS8に進む。
ステップS8において、「ＯＫ」の領域を選択入力するユーザの入力がある場合は、処理を終了し、そうでない場合は、ステップS6に戻る。
ただし、ユーザが、「ＯＫ」の領域を選択入力した場合は、ユーザが手差しトレイ１５ａに配置した用紙が、用紙設定確認画面５６に表示された用紙タイプと用紙サイズの内容と同一であることを意味しているので、図４のフローチャートを終了した後、印刷を開始する処理に入る。現在の用紙の設定は問題ないので、ユーザは、印刷を開始するための入力操作をすればよい。
【００８９】
ステップS9において、ユーザが「変更」の領域を選択入力したので、表示部１３に、設定情報変更画面５７を表示する。
たとえば、図１０の用紙設定確認画面５６が表示された状態で、ユーザが、「変更」の領域を選択入力することにより、表示部１３の画面が、図１０から図１１の設定情報変更画面５７に切り替わる。
【００９０】
上記したように、設定情報変更画面５７には、用紙サイズの選択入力用画面や、用紙タイプの選択入力用画面などがあるが、図１１では、用紙タイプを選択入力するための画面を示している。
用紙サイズを選択入力する場合は、図１１の設定情報変更画面の「サイズ」と表示された領域を選択入力することによって、用紙サイズを選択入力することのできる画面に切り替えられる。
その後、ユーザは、用紙サイズの選択入力用画面や、用紙タイプの選択入力用画面を見ながら、所望の用紙サイズと用紙タイプを選択入力すればよい。
ただし、印刷する用紙の用紙サイズと用紙タイプのいずれかが、現在設定情報５４に一致する場合、一致する設定項目については選択入力する必要はない。
【００９１】
また、ステップS5において、図１２に示した用紙設定確認画面５６を表示した場合には、ユーザは、用紙タイプの表示領域あるいは用紙サイズの表示領域を選択入力するか、または、印刷しようとする用紙が、表示された用紙タイプおよび用紙サイズと同一のものであれば、「ＯＫ」の表示領域を選択入力する。
たとえば、図１２の用紙設定確認画面５６が表示された状態で、用紙タイプの表示領域が選択入力された場合は、図１３の設定情報変更画面５７に切り替えられ、用紙サイズの表示領域が選択入力された場合は、図１４の設定情報変更画面５７に切り替えられる。
その後、ユーザは、図１３または図１４の設定情報変更画面５７を見ながら、所望の用紙タイプまたは用紙サイズを選択入力すればよい。
【００９２】
ステップS10において、ユーザによって、設定情報変更画面に表示された設定項目の選択入力がされたか否かをチェックする。
ステップS11において、設定項目の選択入力がされた場合は、ステップS12に進み、そうでない場合は、ステップS13に進む。
ステップS12において、選択入力された設定項目の内容を、現在設定情報５４に記憶する。
たとえば、異なる用紙サイズが選択入力された場合は、現在設定情報５４の用紙サイズを、選択入力された内容に更新する。
その後、ステップS10に戻る。
【００９３】
ステップS13において、設定項目の選択完了を意味する入力がされた場合は、処理を終了し、そうでない場合は、ステップS10に戻る。
ただし、設定項目の選択完了を意味する入力がされた場合は、上記したように、「ＯＫ」の領域を選択入力した場合と同様に、図４のフローチャートを終了した後、印刷を開始する処理に入ればよい。
【００９４】
以上が、実施例１のフローチャートであるが、設定確認可否情報５５に、ユーザが用紙設定情報を確認しないことを意味する「０」が設定されている場合は、ステップS4以降の処理をすることなく、図４のフローチャートを終了し、印刷を開始する処理に入ればよい。
【００９５】
以上のように、ユーザが、手差しトレイに用紙を配置した場合に、現在設定されている用紙設定情報が表示されるので、ユーザは、手差しトレイに用紙を配置する操作以外に、特別な入力操作を行うことなく、自ら給紙した用紙の設定が現在設定されている用紙設定情報と異なるかあるいは同一かを容易に確認できる。
また、ユーザが現在設定されている用紙設定情報を確認した後に、用紙設定情報の変更が必要なときにのみ、ユーザによる用紙の設定入力をするので、ユーザの操作負担を軽減するとともに、用紙の設定が誤ったまま、印刷処理等が行われてしまうことを防止することができる。
【００９６】
（実施例２）
図５に、この発明の画像形成装置において、印刷処理を実行中に、手差しトレイに配置されていた用紙がなくなり、手差しトレイに用紙を補給した場合における用紙設定確認画面の表示処理等の一実施例のフローチャートを示す。
用紙設定確認画面５６には、手差しトレイに配置されていた用紙の用紙設定情報（用紙タイプ、用紙サイズ）を表示させる。
ここでは、すでに、手差しトレイに載置された用紙を用いて、印刷処理が開始されているものとする。
【００９７】
手差しトレイに配置可能な用紙の数は、十数枚程度である場合が多いので、大量の用紙への印刷を行う場合、手差しトレイに用紙がなくなる場合がある。
手差しトレイに用紙がなくなった場合、印刷を継続するためには、ユーザによって、手差しトレイに、同一サイズおよび同一タイプの用紙を補給してもらう必要がある。
図５のフローチャートにおいて、図４のフローチャートと同じ処理をするステップには、同じ番号を付与している。
【００９８】
図５のステップS51において、印刷開始処理が行われたとする。
たとえば、ユーザが、手差しトレイ１５ａに用紙を配置した後、印刷枚数や濃度などの所望の印刷設定をして、手差しトレイの用紙を印刷する用紙に指定して、印刷開始を意味する操作をしたとする。
この後、ステップS52において、手差しトレイ１５ａの用紙を使用して、印刷処理が実行され、印刷済みの用紙が、排紙トレイなどに、出力される。
複数枚の用紙の印刷が行われる場合は、順次１枚ずつ、手差しトレイ１５ａから用紙が取り込まれ、手差しトレイ１５ａに用紙がなくなるまで、印刷が実行される。
【００９９】
ステップS53において、図４のステップS1と同様に、制御部１１が用紙収納部１５の手差しトレイ１５ａに、用紙があるかないかを確認する。
ステップS54において、手差しトレイ１５ａに用紙があると判断された場合は、ステップS55に進み、手差しトレイ１５ａに用紙がないと判断された場合は、ステップS56に進む。
【０１００】
ステップS55において、用紙がある状態で、印刷処理が終了したか否かを判断する。
たとえば、印刷すべき所定枚数の原稿に対する印刷が終了した場合は、印刷処理が終了したと判断し、処理を終了する。
印刷すべき所定枚数の原稿に対する印刷がまだ残っている場合は、ステップS52に戻る。
【０１０１】
ステップS56において、手差しトレイ１５ａに用紙がなくなったので、印刷が中断され、手差しトレイ１５ａに用紙がなくなったこと、あるいは、手差しトレイ１５ａに用紙を補給すべきことを表示する。
ユーザは、この表示を見て、手差しトレイ１５ａに用紙を補給すべきことを認識し、手差しトレイ１５ａに、用紙を補給する。ここでは、印刷が行われていた用紙と同一サイズで同一タイプの用紙を補給する。
【０１０２】
ステップS57において、ステップS53と同様に、制御部１１が用紙収納部１５の手差しトレイ１５ａに、用紙があるかないかを確認する。
ステップS58において、手差しトレイ１５ａに用紙があると判断された場合は、ステップS4に進み、手差しトレイ１５ａに用紙がないと判断された場合は、ステップS56に戻る。
【０１０３】
その後、図４と同様に、ステップS4からステップS13までの処理を実行する。
すなわち、表示部１３に、用紙設定確認画面５６を表示し、その内容をユーザが確認した後、「変更」の入力がされるか、「ＯＫ」の入力がされるかをチェックし、「変更」の入力がされた場合は、設定情報変更画面を表示して、変更すべき設定項目入力ついて、選択入力をしてもらい、現在設定情報５４を、新たに選択入力された内容に更新する。
【０１０４】
ただし、図５のステップS5において、表示部１３に表示される用紙設定確認画面５６には、印刷の中断直前まで、手差しトレイ１５ａに配置されていた用紙の現在設定情報５４が表示される。
印刷処理を実行中に手差しトレイ１５ａの用紙がなくなり、手差しトレイ１５ａに用紙を補給する場合は、印刷の中断直前まで手差しトレイ１５ａに配置されていた用紙と同一の用紙が補給されるはずなので、通常、ユーザは、用紙設定確認画面を確認して、「変更」を入力することはないと考えられる。
したがって、ユーザが、印刷の中断直前まで手差しトレイ１５ａに配置されていた用紙と同一の用紙を、正しく補給した場合は、「ＯＫ」を選択入力することになる。
【０１０５】
ユーザが、「ＯＫ」を選択入力した場合は、ステップS8からステップS59に進む。
この場合、補給された用紙のサイズおよびタイプと、記憶部５０に記憶されている現在設定情報５４の内容とが一致しているので、ステップS59において、中断していた印刷処理を再開する。ここで、手差しトレイ１５ａに新たに補給された用紙を使用して、印刷処理が再開される。
その後、ステップS52に戻る。
【０１０６】
以上が、実施例２のフローチャートであるが、実施例１と同様に、設定確認可否情報５５に、ユーザが用紙設定情報を確認することを意味する「１」が設定されていることを前提とする。
ただし、設定確認可否情報５５に、ユーザが用紙設定情報を確認しないことを意味する「０」が設定されている場合は、ステップS58において、手差しトレイ１５ａに用紙があることが確認された後、ステップS4以降の処理をすることなく、ステップS59に進み、中断していた印刷処理を再開する。
この場合、ユーザが、中断前に手差しトレイ１５ａに配置していた用紙と同じ用紙を補給することが前提となるが、ユーザが同一用紙を補給することにより、用紙設定確認画面が表示されずに、自動的に印刷処理が再開できるので、ユーザは、用紙設定情報を確認する手間を省略でき、迅速に、印刷処理を継続することができる。
【０１０７】
以上のように、すでに手差しトレイの用紙を使用して印刷処理を実行している場合に、手差しトレイの用紙がなくなり、その後ユーザが手差しトレイに同一用紙を補給した場合も、手差しトレイに用紙を補給したことによって、表示部に、現在設定されている用紙設定情報が表示されるので、ユーザは、手差しトレイに用紙を補給する操作以外に、特別な入力操作を行うことなく、自ら補給した用紙が、現在設定されている用紙設定情報と異なるかあるいは同一かを容易に確認できる。
【０１０８】
ただし、用紙がなくなったために印刷を中断している状態において、ユーザが、手差しトレイに用紙を補給した後、表示部に表示された用紙設定確認画面を確認して、ユーザが補給した用紙が、現在設定されている用紙設定情報と異なるものであることに気づいた場合は、補給した用紙が、中断前に配置されていた用紙と異なり、間違った用紙を補給したことになるので、ユーザは、中断前に配置されていた用紙を、再度、補給するようにする必要がある。この場合、表示部に用紙設定確認画面を表示させることは、ユーザが、間違った用紙を補給していないことを確認することができる点で、意義がある。
【０１０９】
＜実施形態のまとめ＞
（実施形態１）
用紙収納部に、用紙がない状態から、ユーザが所望の用紙を補給した場合、ユーザが操作部を利用した入力操作をすることなく、自動的に、用紙設定情報を含む用紙設定確認画面を、表示部に表示させる。
ユーザは、操作部を利用した入力操作をすることがないので、用紙設定確認画面を見ることにより、補給した所望の用紙の情報と表示された用紙設定情報とが一致するか否かを、容易に確認でき、ユーザの操作負担を軽減でき、用紙の設定が誤ったまま印刷等の処理が実行されてしまうことを防止できる。
【０１１０】
（実施形態２）
用紙収納部は、手差しトレイと、給紙カセットを含み、手差しトレイに用紙を補給した場合も、給紙カセットに用紙を補給した場合のどちらも、用紙設定確認画面を、表示部に表示させる。
【０１１１】
（実施形態３）
記憶部に、設定確認可否情報を予め記憶しておき、設定確認可否情報が、確認許可に設定されている場合は、用紙設定確認画面を、表示部に表示させるようにする。
一方、設定確認可否情報が、確認不可に設定されている場合は、用紙設定確認画面を、表示部に表示させないようにする。これにより、たとえば、手差しトレイに配置する用紙が、常に、同じ設定内容の用紙に決まっており、他の用紙は使用しない運用形態では、用紙設定を確認することはないので、迅速に、次の印刷処理等に移行することができる。
【０１１２】
（実施形態４）
用紙設定情報は、予め記憶部に記憶されるが、用紙設定情報としては、用紙収納部に現在収納されている用紙に対応する設定あるいは前回の印刷処理等で利用した用紙の設定を記憶した現在設定情報と、画像形成装置の出荷時に予め設定記憶される出荷時設定情報と、画像形成装置の管理者等によって予め設定記憶されるユーザ設定情報とを、記憶部に記憶することが好ましい。
【０１１３】
（実施形態５）
用紙設定情報には、少なくとも、用紙タイプと、用紙サイズとが含まれる。用紙タイプには、画像形成装置で利用できる用紙の紙種が設定される。用紙サイズには、用紙の大きさが設定され、定型サイズ、または不定型サイズが設定される。
【０１１４】
（実施形態６）
用紙設定確認画面には、用紙設定情報の内容が表示されるが、たとえば、用紙収納部に現在収納されている用紙に対応する設定あるいは前回の印刷処理等で利用した用紙の設定を記憶した現在設定情報が表示され、主として、この現在設定情報に含まれる用紙タイプと、用紙サイズとが表示される。
あるいは、画像形成装置の出荷時に予め設定記憶される出荷時設定情報と、画像形成装置の管理者等によって予め設定記憶されるユーザ設定情報のうち、いずれかの情報を表示してもよい。
【０１１５】
（実施形態７）
用紙設定確認画面は、原則として、表示部に現在表示されている画面の上に重ねて、表示される。たとえば、特定の機能を実行していない場合に表示部に表示されている基準画面の上に重ねて表示される。
【０１１６】
（実施形態８）
ただし、たとえば、通信に関する情報を設定ための通信情報設定画面を表示している場合など、用紙設定確認画面を重ねて表示すると、不都合が生じる可能性のある画面が表示されている場合には、用紙設定確認画面を表示しないようにしてもよい。
【０１１７】
（実施形態９）
用紙設定確認画面には、用紙設定情報の内容に加えて、用紙設定情報を変更するための入力をする選択入力領域と、用紙設定情報の確認を完了したことを入力する選択入力領域とを表示する。
【０１１８】
（実施形態１０）
用紙設定情報を変更するための入力をする選択入力領域が、ユーザによって操作部を用いて入力された場合は、設定情報変更画面を表示させ、ユーザによる設定項目の変更入力が可能な状態とする。
この設定情報変更画面には、用紙タイプを選択入力する画面と、用紙サイズを選択入力する画面とが含まれる。
【０１１９】
（実施形態１１）
用紙設定情報の確認を完了したことを入力する選択入力領域が、ユーザによって入力された場合は、用紙設定確認画面を消去し、ユーザによる印刷等の処理を開始させるための入力が可能な状態とする。
【０１２０】
（実施形態１２）
印刷処理を実行中において、手差しトレイなどの用紙収納部に収納（配置）されていた用紙がなくなり、ユーザが用紙収納部に用紙を補給した場合に、用紙収納部に収納（配置）されていた用紙に対応する用紙設定情報を含む用紙設定確認画面を、表示部に表示させる。
印刷処理を実行中にユーザが新たに用紙を補給した場合おいて、ユーザが、表示部に表示された用紙設定確認画面を確認することにより、間違った用紙を補給していないことを、容易に確認することができる。
【符号の説明】
【０１２１】
１  画像形成装置（ＭＦＰ）、
１１  制御部、
１２  操作部、
１３  表示部、
１４  出力部、
１５  用紙収納部、
１５ａ  手差しトレイ１５ａ、
１５ｂ  給紙カセット１５ｂ、
１６  用紙検出部、
１７  確認表示制御部、
１８  設定選択入力部、
１９  設定更新部、
５０  記憶部、
５１  用紙情報、
５２  出荷時設定情報、
５３  ユーザ設定情報、
５４  現在設定情報、
５５  設定確認可否情報、
５６  用紙設定確認画面、
５７  設定情報変更画面
【図１】
2019119141.tif 000003
【図２】
2019119141.tif 000004
【図３】
2019119141.tif 000005
【図４】
2019119141.tif 000006
【図５】
2019119141.tif 000007
【図６】
2019119141.tif 000008
【図７】
2019119141.tif 000009
【図８】
2019119141.tif 000010
【図９】
2019119141.tif 000011
【図１０】
2019119141.tif 000012
【図１１】
2019119141.tif 000013
【図１２】
2019119141.tif 000014
【図１３】
2019119141.tif 000015
【図１４】
2019119141.tif 000016